(57)【要約】【課題】湯切りの際に、容器本体から成形蓋が動いたり、外れたりしないように、指で押える必要がなく、そのため、中に注いだ湯の温度により、指が熱くなることのない湯切機能付き容器を提供する。【解決手段】容器本体１と湯切口を設けた成形蓋３に、互いに螺合する螺子部を設け、螺子部が、容器本体の本体周壁１１の内面に設けた雌螺子１５と成形蓋の蓋周壁３１の外面に設けた雄螺子３３である。また、容器本体の上端部分にフランジ部１３が設けられ、フランジ部にシート状の外蓋２が熱融着により取り付けられている。【選択図】図１
2015113125.tif 000002
【特許請求の範囲】
【請求項１】
容器本体と湯切口を設けた成形蓋とに、互いに螺合する螺子部を設けたことを特徴とする湯切機能付き容器。
【請求項２】
前記互いに螺合する螺子部が、前記容器本体の本体周壁の内面に設けた雌螺子と前記成形蓋の蓋周壁の外面に設けた雄螺子であることを特徴とする請求項１に記載の湯切機能付き容器。
【請求項３】
前記蓋周壁の下端を周縁部とする蓋面板が設けられ、上向きに凸のつまみ部が前記蓋面板に設けられていることを特徴とする請求項２に記載の湯切機能付き容器。
【請求項４】
前記容器本体の上端部分に、外蓋が取り付けられていることを特徴とする請求項１から３のいずれか１項に記載の湯切機能付き容器。
【請求項５】
前記容器本体の上端部分にフランジ部が設けられ、該フランジ部にシート状の外蓋が熱融着により取り付けられていることを特徴とする請求項１から４のいずれか１項に記載の湯切機能付き容器。
【発明の詳細な説明】
【技術分野】
【０００１】
本発明は、湯切機能付き容器に関するものである。特に、お湯を入れて調理し、湯切り後に喫食する食品に使用する湯切機能付き容器に関するものである。
【背景技術】
【０００２】
焼きそば、スパゲティなどの即席食品あるいはチルド食品においては、喫食に際してお湯を注いで、所定時間（食品を可食状態にするための時間）加熱調理した後、湯切りして喫食に供するものがあり、その食品用に作られた湯切機能付き容器に包装されて販売されている。
【０００３】
このような、お湯を注いで調理した後、湯切りする食品の湯切機能付き容器には、基材と表シートとを貼り合わせ、表シートを部分的に剥離して、基材に設けた湯切口を露出させるように構成したシート状の蓋材を用いた容器や、容器本体に被せる成形蓋に湯切口を設けて、湯切りするようにした容器がある。
【０００４】
湯切機能付きのシート状の蓋材としては、例えば、基材とこれを被覆する表面シートが接着剤層を介して積層され、基材と表面シートとの層間に離型剤の塗布された剥離領域Ａと、剥離領域Ａ内に配置された非剥離領域Ｃと、剥離領域Ａに隣接して配置された他の非剥離領域Ｂとに区画され、非剥離領域Ｃ内の基材に排湯口開口部形成用ハーフカットが形成された蓋材がある（特許文献１）。
【０００５】
この蓋材では、非剥離領域Ｃの表面シートの一部を容器本体から剥がしてお湯を注入し、所定時間後、剥離領域Ａの表面シートを剥離し、非剥離領域Ｃ内に設けられた排湯口開口部形成用ハーフカットにより、排湯口が開口させ、湯切りするようになっている。この蓋材の製造では、離型剤の塗布の見当合わせや、ハーフカット加工など、難しい加工や、複雑な工程があり、生産性に難がある。
【０００６】
また、消費者が使用する際に使い方が複雑で手間が掛かったり、剥がす場所を間違えてしまったりする恐れがあった。このため、蓋材に説明を大きく表示することとなり、美粧性のための印刷をシュリンクフィルムに印刷して、容器全体をシュリンク包装しているものもある。
【０００７】
また、湯切り口を設けた成形蓋には、対角線方向の少なくとも一方の隅部に熱湯を排出する湯切り口が設けられた嵌合蓋の上面の周辺部に沿って幅の狭い中空の凸条が所要個数形成されている即席麺用容器本体の嵌合蓋がある（特許文献２）。
【０００８】
この成形蓋の容器で湯切りする場合は、嵌合蓋の上面の周辺部に沿って設けた幅の狭い中空の凸条を手の指で容器本体に押えて湯切りする。これによって、湯切りの時に、蓋を押えても指が熱くならないといったものである。
【０００９】
また、他の湯切り口を設けた成形蓋は、即席食品用の容器の蓋であって、成形蓋の周縁部に設けられた水切り部と、熱湯を排出する際に、熱湯が当たらない程度水切り部から離れた周縁部に形成された、少なくとも１つの指挿入部を備えた成形蓋である（特許文献３）。
【００１０】
この成形蓋では、熱湯を排出する際に、熱湯が当たらない程度水切り部から離れ位置に設けられた指挿入部に指を挿入して成形蓋を容器本体に固定して排出する。このため、排
出に際して指が熱くならず、成形蓋を容器に固定することができるとしたものである。
【００１１】
これらの成形蓋では湯切りの際に指で蓋が動かないように容器本体に押える必要があった。そのため、容器本体の中に注いだ熱湯の温度がそのまま蓋を押える指に伝わらないように工夫している。
【００１２】
また、成形蓋には湯切口が設けてあり、簡単な嵌合で容器本体を塞いでいるだけであるので、埃や虫が入る恐れがあり、衛生的に問題があり、容器全体を包むシュリンク包装が行われているのが一般的である。
【００１３】
公知文献を以下に示す。
【先行技術文献】
【特許文献】
【００１４】
【特許文献１】特開２０００−１０９１４１号公報
【特許文献２】実開平３−１１６８１号公報
【特許文献３】特開平１０−１２００４２号公報
【発明の概要】
【発明が解決しようとする課題】
【００１５】
本発明は上記のような事情に鑑みてなされたもので、湯切りの際に、容器本体から成形蓋が動いたり、外れたりしないように、指で押える必要がなく、そのため、中に注いだ湯の温度により、指が熱くなることのない湯切機能付き容器を提供することを課題としている。
【課題を解決するための手段】
【００１６】
本発明は係る課題に鑑みなされたものであり、請求項１の発明は、容器本体と湯切口を設けた成形蓋とに、互いに螺合する螺子部を設けたことを特徴とする湯切機能付き容器である。
【００１７】
本発明の請求項２の発明は、前記互いに螺合する螺子部が、前記容器本体の本体周壁の内面に設けた雌螺子と前記成形蓋の蓋周壁の外面に設けた雄螺子であることを特徴とする請求項１に記載の湯切機能付き容器である。
【００１８】
本発明の請求項３の発明は、前記蓋周壁の下端を周縁部とする蓋面板が設けられ、上向きに凸のつまみ部が前記蓋面板に設けられていることを特徴とする請求項２に記載の湯切機能付き容器である。
【００１９】
本発明の請求項４の発明は、前記容器本体の上端部分に、外蓋が取り付けられていることを特徴とする請求項１から３のいずれか１項に記載の湯切機能付き容器である。
【００２０】
本発明の請求項５の発明は、前記容器本体の上端部分にフランジ部が設けられ、該フランジ部にシート状の外蓋が熱融着により取り付けられていることを特徴とする請求項１から４のいずれか１項に記載の湯切機能付き容器である。
【発明の効果】
【００２１】
本発明の湯切機能付き容器は、容器本体と成形蓋とが螺子部で螺合しているので、湯切りの際に、容器本体から成形蓋が動いたり、外れたりしないように、指で押える必要がなく、そのため、中に注いだ湯の温度により、指が熱くなることもない。そして、容器本体と成形蓋とに螺子部を設けて螺合しているので、見てすぐに使い方がわかり、湯切機能付
きのシート状の蓋材のように、複雑な操作することなく湯切りできる。
【００２２】
また、蓋周壁の下端を周縁部とする蓋面板を設けたので、蓋周壁と蓋面板で囲まれたところに、調味料やかやくあるいは具材などの入った小袋を収納することもできる。更に、つまみ部を設けているので、容器本体に成形蓋を取り付けるのも、容器本体から成形蓋を外すのも容易にでき、湯切り後、成形蓋を開けるときに、火傷する恐れもない。
【００２３】
また更に、外蓋を設けることにより、容器本体を密封することが出来、衛生上安全であり、容器全体をシュリンクフィルムで包装する必要もない。また、外蓋をシート状のものにすれば、印刷の自由度が高くなり、容器全体として、美粧性を高めることができる。
【図面の簡単な説明】
【００２４】
【図１】本発明の湯切機能付き容器の一例を模式的に示した説明図である。（ａ）正面図である。（ｂ）（ａ）の部分Ａの拡大断面図である。
【図２】本発明の湯切機能付き容器の一例の成形蓋を模式的に示した説明図である。（ａ）正面図である。（ｂ）平面図である。
【図３】図２（ｂ）のＸ−Ｘ断面を模式的に示した説明図である。
【発明を実施するための形態】
【００２５】
以下、本発明を実施するための形態につき説明する。
図１は、本発明の湯切機能付き容器の一例を模式的に示した説明図である。（ａ）は、正面図である。（ｂ）は、（ａ）の部分Ａの拡大断面図である。
【００２６】
本例の湯切機能付き容器１００は、図１（ａ）の正面図、図１（ｂ）の拡大断面図に示すように、容器本体１と外蓋２と成形蓋３とからなっている。
【００２７】
容器本体１は、横断面が略円形の本体周壁１１と下端に底部１２を設けた成形容器である。また、本体周壁１１の上端部分に、外方に広がる本体フランジ部１３が設けてある。本体フランジ部１３の下に段差部１４が設けられ、段差部１４の下には成形蓋３と螺合する螺子部の雌螺子１５が本体周壁１１の内面に設けられている。
【００２８】
この雌螺子１５より下の容器本体１内に、内容物の焼きそばやスパゲティなどの即席食品あるいはチルド食品が収納される。
【００２９】
外蓋２はシート状の蓋材で、基材層とシーラント層からなり、シーラント層は、熱溶融性の樹脂からなり、容器本体１の本体フランジ部１３の上面に熱融着により取り付けられている。この熱融着は剥離可能に接着していることが望ましい。
【００３０】
基材層には、延伸ポリエチレンテレフタレートフィルムや延伸ナイロンフィルムなどの樹脂フィルム、あるいは、紙が用いられ、これらが単独で、または、組み合わされて積層され基材層を形成している。
【００３１】
成形蓋３は、蓋周壁３１と、蓋周壁３１の下端を周縁部とする蓋面板３２を有している。そして、容器本体１と螺合する螺子部の雄螺子３３が、蓋周壁３１の外面に設けられている。この雄螺子３３と雌螺子１５が螺合して、容器本体１に成形蓋３が取り付けられ、指などで押えなくても、簡単にずれたり、外れたりしないようにすることができる。
【００３２】
本例では、成形蓋３の雄螺子３３を通常のスクリューにしたが、開け閉めが出来て、閉めた状態で容易に蓋が取れなければ良いので、スクリューでなく、容器本体１の内面にＬ字のネジ谷をつけ、成形蓋３の外面に丸い突起を付けても、螺合ができればこれでもかま
わない。
【００３３】
蓋周壁３１上端部分に、外方に広がる蓋フランジ部３４が設けられている。この蓋フランジ部３４は、容器本体１の段差部１４の上面に当たるように設けられていて、螺合したときの位置がわかるようにしてある。
【００３４】
図２は、本発明の湯切機能付き容器の一例の成形蓋を模式的に示した説明図である。（ａ）は、正面図である。（ｂ）は、平面図である。
図３は、図２（ｂ）のＸ−Ｘ断面を模式的に示した説明図である。
【００３５】
成形蓋３は、前述したように、蓋周壁３１と、蓋周壁３１の下端を周縁部とする蓋面板３２を有し、蓋周壁３１の外面に螺子部の雄螺子３３が図２（ａ）のように設けられている。
【００３６】
また、図２（ｂ）、図３のように、蓋面板３２の周縁部近傍に、お湯を注いで、所定時間加熱調理した後、湯切りするための湯切口３５が設けられている。
【００３７】
本例では、湯切口３５は長円形の貫通孔が３つ並んで設けられている。本発明においては、これに限ることなく、蓋面板３２の周縁部近傍に円形の貫通孔を多数設けても良いし、また貫通孔でなく、Ｕ字型などの切り込みにより湯切口３５を設けても良い。
【００３８】
また、蓋面板３２には、湯切口３５から離れた位置に、縦長の長円形で上に凸のつまみ部３６が設けられている。このつまみ部３６を指で持って、成形蓋３を廻すことによって、容易に、容器本体１と螺合させたり、螺合を外したりすることができる。
【００３９】
本例では、縦長の長円形で上に凸のつまみ部３６を設けたが、長円形ではなく、四角形の突起や、滑り止めのついた丸い突起、十字型の突起をつまみ部３６としても良い。
【００４０】
尚、つまみ部３６や蓋周壁３１の上端は、容器本体１の本体フランジ部１３に外蓋２を取り付けるため、雄螺子３３を雌螺子１５に螺合した状態で本体フランジ部１３より低い位置になるようにしなければならない。
【００４１】
また、成形蓋３の蓋周壁３１の下端に蓋面板３２が設けられているので凹部が形成され、ここに調味料やかやくなどの入った小袋を収納することもできる。
【００４２】
この湯切機能付き容器１００に収納された内容物の即席食品あるいはチルド食品を調理するには、先ず、容器本体１の本体フランジ部１３から外蓋２を剥がして取り外す。そして、成形蓋３の上に入っている調味料やかやくあるいは具材などの入った小袋を取り出す。
【００４３】
次に、成形蓋３のつまみ部３６をもって廻し、螺合を外して、容器本体１から成形蓋３を外して、熱湯を注ぎいれる。このとき、乾燥食品やチルド食品のネギなどの具材があれば注ぐ前か後に入れる。そして、成形蓋３のつまみ部３６をもって廻し、螺合し容器本体１に蓋をする。
【００４４】
この状態で、所定時間放置して、加熱調理する。所定時間が過ぎたら、容器本体１を持って傾け、中のお湯を湯切口３５から排出し湯切りする。そして、成形蓋３のつまみ部３６をもって廻し、螺合を外して、容器本体１から成形蓋３を外して、中の調理された即席食品あるいはチルド食品の上に、調味料やかやくなどを振りかけて、必要に応じてかき回して混ぜ、調理を完成させる。以上のようにして、中の食品を調理して、喫食することができる。
【００４５】
容器本体１や成形蓋３は、樹脂成形によって製造される。成形方法については、特に限定されない。螺子部が成形できれば、シート成形でも良いし、インジェクション成形や、ブロー成形などでもかまわない。
【００４６】
また、容器本体１や成形蓋３の材質は、発泡ポリスチレン樹脂、ポリスチレン樹脂、ポリプロピレン樹脂、ポリエチレンテレフタレート樹脂などの合成樹脂を用いることができる。
【００４７】
また、容器本体１の容器周壁の外面に、ラベルやシュリンクフィルム、紙スリーブなどを巻き付けても良い。更には、プラスチックを成形した外カバーなどを嵌合あるいは接着、熱融着により設けてもよい。
【００４８】
以上のように本発明の湯切機能付き容器は、容器本体と成形蓋とに螺子部を設けて螺合しているので、湯切りの際に、容器本体から成形蓋が動いたり、外れたりすることがなく、成形蓋を指で押える必要もない。そのため、中に注いだ湯の温度により、指が熱くなって火傷することもない。また、容器本体と成形蓋の隙間から漏れ出した湯で火傷することもない。
【００４９】
容器本体と成形蓋とに螺子部を設けて螺合するようにしているので、見てすぐに使い方がわかり、湯切機能付きのシート状の蓋材のように、蓋材の一端を開けて、お湯を注いで、調理後、別の位置の表フィルムをはいで湯切りするといった複雑な操作する必要がない。
【００５０】
また、蓋周壁の下端を周縁部とする蓋面板を設けたのでくぼみが出来、ここに調味料やかやくあるいは具材などの入った小袋を収納することもできる。更に、つまみ部を設けているので、容器本体に成形蓋を螺合するのも、容器本体から成形蓋を外すのも容易にでき、湯切り後、成形蓋を開けるときに火傷する恐れもない。
【００５１】
また更に、容器本体の上端部分に外蓋を取り付けることにより、容器本体を密封することが出来、埃や虫が入る恐れがなく、衛生上安全であり、容器全体をシュリンクフィルムで包装する必要もない。また、外蓋をシート状のものにすれば、印刷の自由度が高くなり、容器全体として、美粧性を高めることができる。
【符号の説明】
【００５２】
１００・・・湯切機能付き容器
１・・・容器本体
１１・・・本体周壁
１２・・・底部
１３・・・本体フランジ部
１４・・・段差部
１５・・・雌螺子
２・・・外蓋
３・・・成形蓋
３１・・・蓋周壁
３２・・・蓋面板
３３・・・雄螺子
３４・・・蓋フランジ部
３５・・・湯切口
３６・・・つまみ部
【図１】
2015113125.tif 000003
【図２】
2015113125.tif 000004
【図３】
2015113125.tif 000005